(57)【要約】【課題】  動きのある乳幼児や児童を被写体とし、また照明の制御をより容易にした什器式写真撮影用スタジオ装置を提供することである。【解決手段】  カメラによる写真撮影の際の被写体１０に対する照明を発する複数の側壁２、３を有し、複数の側壁２、３に囲まれた被写体１０の位置の上方が開口していることを特徴とする。【選択図】  図１
2006184612.tif 000002
【特許請求の範囲】
【請求項１】
カメラによる写真撮影の際の被写体に対する照明を発する複数の側壁を有し、前記複数の側壁に囲まれた前記被写体の位置の上方が開口していることを特徴とする什器式写真撮影用スタジオ装置。
【請求項２】
前記被写体の位置の上方に前記被写体を照らす照明部材を設け、前記被写体と前記照明部材との間に前記照明部材からの光を拡散する拡散部材を設けたことを特徴とする請求項１に記載の什器式写真撮影用スタジオ装置。
【請求項３】
前記拡散部材が多孔形状であることを特徴とする請求項２に記載の什器式写真撮影用スタジオ装置。
【請求項４】
前記拡散部材が前記照明部材からの光の拡散のための厚みを有することを特徴とする請求項３に記載の什器式写真撮影用スタジオ装置。
【請求項５】
前記拡散部材が該スタジオ装置の直上以外の位置に設けられたものによる外乱光を遮蔽または拡散するための厚みを有することを特徴とする請求項３に記載の什器式写真撮影用スタジオ装置。
【発明の詳細な説明】
【技術分野】
【０００１】
本発明は、什器式写真撮影用スタジオ装置に関し、詳しくは、被写体を写真撮影するための撮影スタジオを構成する什器式装置に関する。
【背景技術】
【０００２】
従来から、人物を被写体として銀塩フィルムを用いたカメラやデジタルカメラ等によって写真撮影するための写真撮影スタジオとして様々なものが知られている。
【０００３】
ところで、アナログ的に色鮮やかに撮影するためには一眼レフカメラに銀塩フィルムを用いて撮影するのが望ましいが、最近ではディジタルカメラも高精度化、高機能化が進み、一般的な撮影においては遜色のない撮影画像を得ることができるまでになっている。
【０００４】
このようなカメラを用いて写真撮影する場合には、写真撮影用のスタジオを使用して、照明を適切に当てながら撮影するのが望ましい。ところが、この照明の当て方は難しく、撮影の都度セッティングしていたのでは、時間がかかりすぎて、効率的ではないという問題があった。
【０００５】
そこで、特許文献１に記載の発明では、あらかじめ照明をセッティングした写真撮影スタジオ装置を提供し、証明写真等を高品質で迅速に撮影することができるようにしている。
【０００６】
【特許文献１】特開平１０−４８７０５号公報
【発明の開示】
【発明が解決しようとする課題】
【０００７】
しかしながら、特許文献１に記載の従来の写真撮影スタジオ装置では、証明写真の撮影を対象にしており、主に被写体の上半身を撮影するため、椅子に座った被写体の上半身を照らす照明が得られればよいというものであった。
【０００８】
このため、証明写真以外の撮影、たとえば被写体が乳幼児の場合のように動き回ったりする自然な表情の撮影には不向きであり、適切な照明が得られる領域が狭いという問題があった。
【０００９】
また、特許文献１に記載の従来の写真撮影スタジオ装置では、写真撮影時に被写体が座る場所が仕切壁で囲まれ、さらに非常に低い天井が設けられており、このため、仕切壁や天井によって照明光が反射され、このような反射光が複雑に存在し、被写体に適切な照明を当てるための光量の制御、照明灯の設置位置の制御などの照明の制御が非常に困難であるという問題もあった。
【００１０】
本発明は上記の点にかんがみてなされたもので、動きのある乳幼児や児童を被写体とし、また照明の制御をより容易にした什器式写真撮影用スタジオ装置を提供することを目的とする。
【課題を解決するための手段】
【００１１】
本発明の什器式写真撮影用スタジオ装置は上記の目的を達成するために、カメラによる写真撮影の際の被写体に対する照明を発する複数の側壁を有し、前記複数の側壁に囲まれた前記被写体の位置の上方が開口していることを特徴とする。
【００１２】
また本発明は請求項１に記載の発明において、前記被写体の位置の上方に前記被写体を照らす照明部材を設け、前記被写体と前記照明部材との間に前記照明部材からの光を拡散する拡散部材を設けたことを特徴とする。
【００１３】
また本発明は請求項２に記載の発明において、前記拡散部材が多孔形状であることを特徴とする。
【００１４】
また本発明は請求項３に記載の発明において、前記拡散部材が前記照明部材からの光の拡散のための厚みを有することを特徴とする。
【００１５】
また本発明は請求項３に記載の発明において、前記拡散部材が該スタジオ装置の直上以外の位置に設けられたものによる外乱光を遮蔽または拡散するための厚みを有することを特徴とする。
【発明の効果】
【００１６】
本発明によれば、動きのある乳幼児や児童を被写体とし、また照明の制御をより容易にした什器式写真撮影用スタジオ装置を提供することができる。
【００１７】
すなわち本発明によれば被写体の位置の上方を開口させるようにしたので、照明の制御をより容易にすることができる。
【００１８】
また本発明によれば、撮影対象領域の所定範囲において露光ムラをなくし一定の露光量を容易に確保することができるので、動きのある乳幼児や児童を被写体とした撮影に効果的である。
【００１９】
また本発明によれば、側壁に設けられた蛍光灯から拡散板を透過した照明光のうち、スタジオ装置の上部に設けられた拡散部材のスタジオ装置内部に対向する面に向かって光路をとるものの多くは、拡散部材が多数の開口を有するため、スタジオ装置の内部から外部へと抜けることになり、省スペースでありながらも上部空間が実際以上に広く感じることができるスタジオ装置を提供できる。
【発明を実施するための最良の形態】
【００２０】
以下、本発明の実施の形態を図面を参照して説明する。
【００２１】
図１は、本発明による什器式写真撮影用スタジオ装置の一実施の形態の構成を示す斜視図である。
【００２２】
本実施の形態の什器式写真撮影用スタジオ装置では、乳幼児を被写体として写真撮影することを前提とし、ストロボを使用せず、デジタルカメラを用いて蛍光灯を照明とした定常光撮影を行う。このように本実施の形態では蛍光灯を照明として用いるが、本発明はこれに限られず、他の種類の照明を用いることもできる。
【００２３】
図１に示すように、本実施の形態の什器式写真撮影用スタジオ装置すなわちスタジオ装置１は、右側壁２と左側壁３と後部壁４とをコの字状に組立てて、その上に拡散部材５、蛍光灯６１〜６６および、その蛍光灯６１〜６６を支える支柱６ａ〜６ｅを設けて構成される。
【００２４】
右側壁２と左側壁３と後部壁４とによって囲まれた領域である撮影対象領域７にはカーペットなどの敷物８が敷かれ、その敷物８の上にたとえば乳幼児である被写体１０が上がる。上記のように右側壁２と左側壁３と後部壁４とはコの字状に組立てられており、前面に撮影用開口部を有し、撮影者１１はデジタルカメラ１２を用いて、撮影用開口部から被写体１０の撮影を行う。このとき、撮影者１１はスタジオ装置１の外すなわち敷物８の上に上がらないで撮影してもよいし、敷物８の上に上がって撮影してもよい。
【００２５】
このスタジオ装置１は什器式であり、各構成部分に分解し、既存の建物内にたとえばエレベータなどを使用して搬入し、搬入後に図１に示す状態に組立てることができる。
【００２６】
図２は図１に示したスタジオ装置１の正面図である。
【００２７】
図２に示すように本実施の形態のスタジオ装置１は、前面の幅が２６００ｍｍであり、そのうち中央の１３００ｍｍが撮影用開口部として開口している。また、スタジオ装置１の撮影対象領域７である内側の高さは２０００ｍｍであり、上方からの照明のための蛍光灯６１〜６６を支える支柱６ａ〜６ｅまでを含めた高さは２２００ｍｍである。
【００２８】
図３は、図１に示したスタジオ装置１の上方からの照明のための構成を示す斜視図であり、（ａ）は蛍光灯６１〜６６およびその支柱６ａ〜６ｅから成る照明部材を示す斜視図であり、（ｂ）は（ａ）の照明部材からの照明を撮影対象領域７に対して拡散させて供給する拡散部材を示す斜視図である。
【００２９】
図３（ａ）に示すように、照明部材６は、上方からの照明のための蛍光灯６１〜６６を支柱６ａ〜６ｅによって支えて構成される。
【００３０】
図３（ｂ）に示す拡散部材５は、薄板を網目状に組み合わせた多孔形状にて構成され、この多孔によってスタジオ装置１の内部と外部との換気がスタジオ装置１の上方においても可能なようにされている。
【００３１】
本実施の形態において、拡散部材５の多孔を形成する薄板の幅すなわち拡散部材５の上下方向における厚さはたとえば２５ｍｍであり、また、多孔のそれぞれは矩形であり、その大きさは２５ｍｍ×２５ｍｍである。
【００３２】
この拡散部材５の多孔の壁面によって蛍光灯６１〜６６からの光が拡散され、撮影対象領域７における照明ムラが解消される。すなわち、この拡散部材５の上下方向における厚さによって照明部材６からの光が拡散される。
【００３３】
この拡散部材５を構成する薄板としてはたとえば白色のアクリル板を用いることができる。
【００３４】
本実施の形態のスタジオ装置１は、上方に、多孔を有する拡散部材５および照明部材６以外のものを有さないため、上方に開口していることになる。この開口の開口率は、多孔を形成する薄板の厚さや多孔の形状等によって定まるが、７０％以上の開口率を有することが望ましい。また多孔のそれぞれの形状は、矩形に限られるものではなく、円形でも、蜂の巣状でも、そのほかの多角形でもよいことは言うまでもない。
【００３５】
また、側壁に設けられた蛍光灯から拡散板を透過した照明光の一部は、スタジオ装置１の上部に設けられた拡散部材５のスタジオ装置１内部に対向する面に向かって光路をとるが、その多くは、拡散部材５が多数の開口を有するため、スタジオ装置１の内部から外部へと抜けることになる。これにより、スタジオ装置１の上部の面があたかも実際以上に高くなったように体感できるという効果が得られる。そして、感じる高さの調節は拡散部材５の開口率を調整することで可能であり、開口率が大きくなればより高さを感じることができ、逆に開口率が小さくなれば実際の拡散部材５の高さにより近く感じることになる。つまり、省スペースでありながらも上部空間が実際以上に広く感じることができるスタジオ装置を提供できることになる。
【００３６】
図４は図１に示したスタジオ装置１の平面図であり、（ａ）は拡散部材５および照明部材６を含めたスタジオ装置１の平面図であり、（ｂ）はスタジオ装置１から拡散部材５および照明部材６を除いた平面図である。
【００３７】
図４（ａ）に示すように、本実施の形態の右側壁２は、照明用の蛍光灯として、外壁２３に取り付けられ撮影対象領域７を照明するように設けられた蛍光灯２６ａ〜２６ｈおよび、外壁２３と所定の角度を持って設けられた壁２４に取り付けられ撮影対象領域７を照明するように設けられた蛍光灯２５ａ〜２５ｅを備える。同様に、本実施の形態の左側壁３は、照明用の蛍光灯として、外壁３３に取り付けられ撮影対象領域７を照明するように設けられた蛍光灯３６ａ〜３６ｈおよび、外壁３３と所定の角度を持って設けられた壁３４に取り付けられ撮影対象領域７を照明するように設けられた蛍光灯３５ａ〜３５ｅを備える。
【００３８】
また、図４（ｂ）に示すように、右側壁２の内壁は拡散板２１および２２で構成され、蛍光灯２６ａ〜２６ｈからの光は拡散板２１を透過する際に拡散されて撮影対象領域７に供給され、照明ムラが解消される。さらに、蛍光灯２５ａ〜２５ｅからの光は拡散板２２を透過する際に拡散されて撮影対象領域７に供給され、照明ムラが解消される。同様に、左側壁３の内壁は拡散板３１および３２で構成され、蛍光灯３６ａ〜３６ｈからの光は拡散板３１を透過する際に拡散されて撮影対象領域７に供給され、照明ムラが解消される。さらに、蛍光灯３５ａ〜３５ｅからの光は拡散板３２を透過する際に拡散されて撮影対象領域７に供給され、照明ムラが解消される。
【００３９】
拡散板２１や３１の向きは、被写体１０に向いているのが望ましく、すなわち、デジタルカメラ１２から被写体１０に向かう方向と同じ方向成分を有する光が、拡散板２１や３１を透過してまたは拡散板２１や３１にて反射されて生成されるのが望ましい。
【００４０】
図４（ｂ）に示すように、本実施の形態のスタジオ装置１の撮影対象領域７の幅は２２００ｍｍであり、撮影対象領域７の奥行きは、前面から拡散板３１の端部までが２００ｍｍで、拡散板３１の端部から後部壁４までが２２００ｍｍである。
【００４１】
図５は、図１に示したスタジオ装置１を図４（ｂ）の方向Ａから見た右側断面であり、蛍光灯の配置の説明のため、左側壁３の内壁を取り除いた状態で示した図である。
【００４２】
本実施の形態のスタジオ装置１では、照明ムラを防ぐため、蛍光灯３５ａ、３５ｃおよび３５ｅを下段に配置し、蛍光灯３５ｂおよび３５ｄを上段に配置し、さらに蛍光灯３６ｂ、３６ｄ、３６ｆおよび３６ｈを下段に配置し、蛍光灯３６ａ、３６ｃ、３６ｅおよび３６ｇを上段に配置し、各蛍光灯を上下方向で互い違いに配置するようにしている。右側壁２内の蛍光灯の配置も同様であるので、その図示は省略する。
【００４３】
スタジオ装置１の右側壁２や左側壁３の内壁である拡散板２１、２２、３１、３２は、たとえば白色のアクリル板を用いることができ、撮影対象領域７の内部色温度は、使用するアクリルの透過スペクトル分布に準拠する。デジタルカメラ１２のホワイトバランス設定は、グレーチャートを撮影して得たデータに基づいて設定すればよい。
【００４４】
撮影対象領域７の温度安定性は、スタジオ装置１の設置場所が１５℃〜３０℃の環境下において、始業蛍光灯点灯時から３０分経過した後の照度分布は±０．３ＥＶ内に収まっている。
【００４５】
後部壁４の内側は、撮影時の背景となるが、その材質は各種の布などの比較的柔軟で、暖かい感じがする素材で構成するのが望ましい。この後部壁４の内側は基本的に純白色であるが、色輻射がない範囲でカラー画像などを採用することもできる。
【００４６】
また敷物８としてはたとえばカーペット（毛足が約６ｍｍ以下であることが望ましい。）を用いることができ、柔らかい感じがする素材であることが望ましい。敷物８の上面は基本的に純白色であるが、色輻射がない範囲でカラー画像などを採用することもできる。
【００４７】
なお、スタジオ装置１の側面からの光は、スタジオ装置１の上方にも進行するが、このときスタジオ装置１の上部に天井板があった場合には、この天井板で側面からの光が乱反射し、スタジオ装置１の撮影対象領域７の露光量の設定が困難であるという問題がある。これに対して本実施の形態では、スタジオ装置１の上部を開口させ、開口率がたとえば７０％以上の拡散部材５を用いるようにしたので、スタジオ装置１の側面からの光は拡散部材５の上方に抜けてしまい、あたかも天井が高いスタジオを実現することができ、露光量の設定をしやすくすることができる。すなわち照明の制御をより容易にすることができる。
【００４８】
また、スタジオ装置１が設けられた部屋にスタジオ装置１の設置前から備えられていた照明であって、スタジオ装置１の直上以外の位置に設けられたものによる外乱光が、拡散部材５を用いることによって、スタジオ装置１内の撮影対象領域７に直接的に侵入してしまうことを防ぐことができ、撮影対象領域７内の所定範囲において露光ムラをなくし一定の露光量を確保することができる。すなわち、拡散部材５の上下方向における厚さによってスタジオ装置１の直上以外の位置に設けられたものによる外乱光を遮蔽または拡散することができる。
【００４９】
ところで、本実施の形態のスタジオ装置１では、図４（ａ）に示したように３２本の蛍光灯を用いるが、それぞれ４０Ｗの蛍光灯を用いて内部照度３３００ｌｕｘを実現することができる。その照度分布について図６および図７を参照して説明する。
【００５０】
図６は、本実施の形態のスタジオ装置１の正面図であって高さ方向の照度分布について説明する図である。
【００５１】
図７は、本実施の形態のスタジオ装置１の平面図であって水平方向の照度分布について説明する図である。
【００５２】
ところで、ある領域内にて被写体を撮影する際には、一定の露光量を得られるようにすることで、撮影者はその撮影に専念できるようにすることが望ましい。しかしながら、一般のデジタルカメラの本来のオート露出機構ではたとえば背面が白地などの場合、その影響で被写体の顔部分にてが露光不足になってしまうおそれがある。また、領域内で被写体が動き回り、その動いた位置によって露光量が変動してしまうおそれがある。
【００５３】
そこで、本実施の形態のスタジオ装置１では、上記の点にかんがみ、被写体１０の顔などで露光不足とならないように、また被写体１０が撮影対象領域７内をある程度動き回ることを前提に、図６および図７に示す範囲にて所定の露光量が得られるようにしてある。
【００５４】
すなわち、本実施の形態のスタジオ装置１によれば、図６に示すスタジオ装置１の床面から高さ１００ｍｍ〜１２００ｍｍの範囲で、且つ図７に示すスタジオ装置１の前面から奥行き９００ｍｍ〜１５００ｍｍの範囲で、且つ図６および図７に示すスタジオ装置１の中央から左右６００ｍｍの範囲の内の各位置にて、撮影時露光量を１０ＥＶ（±０．２ＥＶ設定する配光）とし、デジタルカメラ１２の設定値はＩＯＳ４００、シャッタースピードが１／１２５、Ｆ値がＦ５．６（Ｆ４．０８〜Ｆ５．６２）とする。このように設定することで、上記範囲内にて安定した露光量が得られた撮影ができ、撮影者は露光量などの心配をする必要がなく、撮影に専念することができる。
【００５５】
ところで、蛍光灯の経時劣化などの経時変化に対しては、画質管理をするのが望ましい。
【００５６】
たとえば、光源光量変動補正（濃度校正）として、グレーチャートを撮影し、その濃度データ値（濃度Ｇの平均）によって露出変動量を確認し、絞り量の変更を行う。
【００５７】
また、光源温度変動補正（ホワイトバランス校正）として、グレーチャートを撮影し、その色データ値（ＲＧＢ値）によって色温度変動量を確認し、ホワイトバランス設定の変更を行う。
【図面の簡単な説明】
【００５８】
【図１】本発明による什器式写真撮影用スタジオ装置の一実施の形態の構成を示す斜視図である。
【図２】図１に示したスタジオ装置の正面図である。
【図３】図１に示したスタジオ装置の上方からの照明のための構成を示す斜視図であり、（ａ）は蛍光灯およびその支柱から成る照明部材を示す斜視図であり、（ｂ）は（ａ）の照明部材からの照明を撮影対象領域に対して拡散させて供給する拡散部材を示す斜視図である。
【図４】図１に示したスタジオ装置の平面図であり、（ａ）は拡散部材および照明部材を含めたスタジオ装置の平面図であり、（ｂ）はスタジオ装置から拡散部材および照明部材を除いた平面図である。
【図５】図１に示したスタジオ装置を図４（ｂ）の方向Ａから見た右側断面であり、蛍光灯の配置の説明のため、左側壁の内壁を取り除いた状態で示した図である。
【図６】本実施の形態のスタジオ装置の正面図であって高さ方向の照度分布について説明する図である。
【図７】本実施の形態のスタジオ装置の平面図であって水平方向の照度分布について説明する図である。
【符号の説明】
【００５９】
１  スタジオ装置
２  右側壁
２１、２２  拡散板
２３  外壁
２４  壁
２５ａ〜２５ｅ  蛍光灯
２６ａ〜２６ｈ  蛍光灯
３  左側壁
３１、３２  拡散板
３３  外壁
３４  壁
３５ａ〜３５ｅ  蛍光灯
３６ａ〜３６ｈ  蛍光灯
４  後部壁
５  拡散部材
６  照明部材
６１〜６６  蛍光灯
６ａ〜６ｅ  支柱
７  撮影対象領域
８  敷物
１０  被写体
１１  撮影者
１２  デジタルカメラ
【図１】
2006184612.tif 000003
【図２】
2006184612.tif 000004
【図３】
2006184612.tif 000005
【図４】
2006184612.tif 000006
【図５】
2006184612.tif 000007
【図６】
2006184612.tif 000008
【図７】
2006184612.tif 000009